(57)【要約】【課題】容易に着用することができる袴を提供すること。【解決手段】前身頃２００と後身頃３００を有する袴１００であって、前身頃２００の上端部に配置される第１弾性部材２１３及び第２弾性部材２１４と、後身頃３００の上端部に配置され、第１弾性部材２１３を取付けることが可能な左取付部材と、後身頃３００の上端部に配置され、第２弾性部材２１４を取付けることが可能な右取付部材と、前身頃２００に取り付けることが可能であり、リボン部４３０を有する紐部材４００と、を含む袴を提供する。【選択図】図３
2018168523.tif 000002
【特許請求の範囲】
【請求項１】
前身頃と後身頃を有する袴であって、
前記前身頃の上端部に配置される第１弾性部材及び第２弾性部材と、
前記後身頃の上端部に配置され、前記第１弾性部材を取付けることが可能な左取付部材と、
前記後身頃の上端部に配置され、前記第２弾性部材を取付けることが可能な右取付部材と、
前記前身頃に取り付けることが可能であり、リボン部を有する紐部材と、を含む袴。
【請求項２】
前記紐部材が前記第１弾性部材及び前記第２弾性部材に取り付けられる請求項１記載の袴。
【請求項３】
前記第１弾性部材及び前記第２弾性部材の少なくとも一部がゴムバンドである請求項１又は２記載の袴。
【請求項４】
前記左取付部材は、前記第１弾性部材を通すことが可能な貫通孔を有する第１取付部材及び第２取付部材を含み、
前記右取付部材は、前記第２弾性部材を通すことが可能な貫通孔を有する第３取付部材及び第４取付部材を含み、
前記左取付部材は、前記第１取付部材及び前記第２取付部材に前記第１弾性部材を通す長さに基づいて、前記第１弾性部材の固定位置を調節することが可能であり、
前記右取付部材は、前記第３取付部材及び前記第４取付部材に前記第２弾性部材を通す長さに基づいて、前記第２弾性部材の固定位置を調節することが可能である請求項１、２又は３記載の袴。
【請求項５】
前記紐部材に接続部材が取り付けられ、前記接続部材によって前記紐部材と前記第１弾性部材及び前記第２弾性部材とが接続される請求項１乃至４記載の袴。
【発明の詳細な説明】
【技術分野】
【０００１】
本発明は、袴に関する。
【背景技術】
【０００２】
従来、袴を着用するためには、帯に対する袴前身頃の位置合わせ、帯の結び目に対する袴後ろ身頃の位置合わせなど、種々の位置合わせが必要であることに加えて、複数の紐を結ぶ作業が必要であった。
【０００３】
そのため、慣れていないと着用者だけで着用することが困難であった。
【０００４】
特許文献１では、身体が不自由な人も含め、誰もが容易に着用することができる袴が記載されている。
【０００５】
具体的には、袴の構成が、袴前身頃と、袴前身頃とそれぞれの側辺の一方が逢着されていると共に、それぞれの側辺の他方が全長にわたり設けられた線ファスナーで閉じ合わされることにより、袴前身頃と共に筒状となる袴後ろ身頃と、袴前身頃の上部の裏面に、左右に延びるように取り付けられており、長手方向の一辺に沿って袴前身頃の上端より１ｃｍ〜３ｃｍ露出していると共に、両端部が着脱自在に係合する帯体と、袴後ろ身頃の上端に、左右に延びるように取り付けられている後ろ紐と、袴後ろ身頃の上部の裏面に取り付けられて袴後ろ身頃に膨らみを与える模擬帯結び体と、を具備する構成となっている。
【０００６】
また、特許文献２では、素人であっても自分で簡単に着用することが出来ると共に、紐を強く締めなくても位置ズレすることのない袴及び該袴の着付け方法が開示されている。
【０００７】
具体的には、前紐の一方は８文字状のクロス部を形成すると共に伸縮性を有し、先端にはフックを取付け、他方の前紐には複数の止め具を取付け、該フックが止め具に係止することで両前紐が互いに連結し、上記クロス部を一文字帯などで対をなす羽根に係止することで、袴を帯に固定するようにしている。
【先行技術文献】
【特許文献】
【０００８】
【特許文献１】特開２０１７−２１４６８４号公報
【特許文献２】特開２００３−８９９０４号公報
【発明の概要】
【発明が解決しようとする課題】
【０００９】
しかしながら、特許文献１に係る袴では、側面のファスナー部分が着用者以外の人達から見える可能性があり、美感の問題がある。
【００１０】
また、特許文献２に係る袴では、帯にしっかりと紐が固定されない可能性がある。
【００１１】
本発明の主な目的は、容易に着用することができる袴を提供することである。
【００１２】
本発明の他の目的は、美感を損ない難い袴を提供することである。
【課題を解決するための手段】
【００１３】
本発明の第１の局面に係る袴は、前身頃と後身頃を有する袴であって、
前記前身頃の上端部に配置される第１弾性部材及び第２弾性部材と、
前記後身頃の上端部に配置され、前記第１弾性部材を取付けることが可能な第１取付部材と、
前記後身頃の上端部に配置され、前記第２弾性部材を取付けることが可能な第２取付部材と、
前記前身頃に取り付けることが可能であり、リボン部を有する紐部材と、を含む袴である。
【００１４】
このような袴であれば、着用者は容易に袴を着用することができる。また、弾性部材（第１弾性部材、第２弾性部材）の伸縮機能により、帯の上側に配置される後身頃がずれ難くなる。
【００１５】
また、弾性部材の伸縮機能により前身頃の帯の上端に対する相対位置を、着用者は容易に調整することができる。つまり、着用者は、袴の位置を帯の上端から好みの位置にすることができ、袴を着用した後でも容易に袴の位置を調節することができる。
【００１６】
本発明の第２の局面に係る袴は、第１の局面に係る袴であって、前記紐部材が前記第１弾性部材及び前記第２弾性部材に取り付けられる袴である。
【００１７】
リボン部を有する紐部材が第１弾性部材及び第２弾性部材に取り付けられることにより、第１弾性部材及び第２弾性部材が目立たなくなり、第三者から見て美感を損ない難い。
【００１８】
本発明の第３の局面に係る袴は、第１の局面又は第２の局面に係る袴であって、前記第１弾性部材及び前記第２弾性部材の少なくとも一部がゴムバンドである袴である。
【００１９】
第１弾性部材又は第２弾性部材は、全体がゴム等の弾性部材であってもよく、また、一部分のみが弾性部材であってもよい。
【００２０】
つまり、第１弾性部材又は第２弾性部材が紐状の部材であり、一部に弾性部材が使用されているものも含まれる。このようなものであっても上記と同様の効果を奏する。
【００２１】
本発明の第４の局面に係る袴は、第１の局面、第２の局面又は第３の局面に係る袴であって、前記左取付部材は、前記第１弾性部材を通すことが可能な貫通孔を有する第１取付部材及び第２取付部材を含み、
前記右取付部材は、前記第２弾性部材を通すことが可能な貫通孔を有する第３取付部材及び第４取付部材を含み、
前記左取付部材は、前記第１取付部材及び前記第２取付部材に前記第１弾性部材を通す長さに基づいて、前記第１弾性部材の固定位置を調節することが可能であり、
前記右取付部材は、前記第３取付部材及び前記第４取付部材に前記第２弾性部材を通す長さに基づいて、前記第２弾性部材の固定位置を調節することが可能である袴である。
【００２２】
「左」は着用者から見て左側（左手側）を指し、「右」は着用者からみて右側（右手側）を指す。左取付部材が貫通孔を有する第１取付部材及び第２取付部材であることにより、リングベルトのように第１弾性部材を第１取付部材及び第２取付部材に通す長さを調節することができる。
【００２３】
右取付部材も左取付部材と同様に、第３取付部材及び第４取付部材であることにより、第２弾性部材を第３取付部材及び第４取付部材に通す長さを調節することができる。
【００２４】
これにより、着用者は、後身頃の上部と前身頃の上部とを容易に固定することができ、また、袴の締め付け具合を容易に調節することができる。
【００２５】
本発明の第５の局面に係る袴は、第１の局面乃至第４の局面に係る袴であって、前記紐部材に接続部材が取り付けられており、前記接続部材によって前記紐部材と前記第１弾性部材及び前記第２弾性部材とが接続される袴である。
【００２６】
リボン部を有する紐部材を第１弾性部材及び第２弾性部材に接続することにより、第１弾性部材及び第２弾性部材が第三者から視認し難くなり、袴の美感を損ない難い。
【００２７】
なお、前記接続部材は面ファスナーであってもよい。面ファスナーであれば、容易に紐部材と第１弾性部材又は第２弾性部材と接続することができ、また、接続位置の調整も容易である。
【図面の簡単な説明】
【００２８】
【図１】従来の袴を着用する際の概念図。
【図２】従来の袴を着用する際の概念図。
【図３】本発明に係る一実施形態における袴の正面図。
【図４】同実施形態における袴の背面図。
【図５】同実施形態における袴の後身頃の部分拡大図。
【図６】同実施形態における袴の部分拡大図。
【図７】同実施形態における袴の部分拡大図。
【図８】同実施形態における袴の紐部材の平面図。
【図９】同実施形態における袴を着用するフローチャート。
【発明を実施するための形態】
【００２９】
以下、本発明に係る袴の実施形態に関して図面を参照しながら説明する。
【００３０】
まず、従来の一般的な袴１０の着用の仕方の一例を、図１及び図２を用いて説明する。着用者は、着物を着用し、帯２０を背中で蝶結びに結んだ状態で、袴前身頃１１を身体の前面に当てる。
【００３１】
このとき、袴前身頃１１の上端側から帯２０が１ｃｍ〜３ｃｍ見えるように、袴前身頃１１の位置合わせをする。位置合わせした位置はずれないようにクリップ５０で留めておく。そして、その状態で、前紐３０を背中側にまわす。
【００３２】
前紐３０は、帯２０の結び目上で交差させ、さらに身体の前面に回し、再び背中に回して帯２０の下側で前紐３０を結ぶ。なお、帯２０の結び目上で交差させる前に前紐３０同士を結んでもよい。
【００３３】
その後、ヘラ（図示しない）を帯２０及び前紐３０と着用者の背中との間に差し込み、袴後身頃１２の上端を帯２０の結び目の上側で背中に当てた状態で、後ろ紐４０を身体の前面で結ぶ。
【００３４】
袴後身頃１２の上部は、帯２０の結び目の上に被せられた状態であるため、帯２０の結び目による膨らみができている。
【００３５】
しかしながら、着用者は、帯２０に対する袴前身頃１１の位置合わせを行いつつ、前紐３０を着用者の背中で結ばなければならず、慣れていなければ困難である。
【００３６】
また、着用者が袴１０を着用している間に帯２０に対して袴１０の位置がずれてしまった場合、また、袴１０の前紐３０及び後ろ紐（図示しない）の結び方が苦しい場合、着用者は袴１０を着用し直そうと思っても、容易に着用し直すことができない。
【００３７】
本実施形態に係る袴１００は、このような従来の袴の問題を解決すべく着用者が容易に着用することができる袴である。
【００３８】
（袴１００）
図３乃至図８に示すように、袴１００は、着用者の前側に配置される前身頃２００と、
着用者の後ろ側に配置される後身頃３００と、
リボン結びがされている紐部材４００と、
後身頃３００の上端側に取り付けられているヘラ部材５００と、を含む。
【００３９】
なお、本実施形態では、ヘラ部材５００が設けられているが、ヘラ部材５００を備えない構成であってもよい。
【００４０】
前身頃２００は、ｙ軸正方向側に配置される第１上端部２１０と、
ｙ軸負方向側に配置される第１下端部２２０と、
ｘ軸方向側に配置される第１側面部２３０及び第２側面部２４０と、を含む。
【００４１】
前身頃２００には、ひだ２５０が設けられている。本実施形態では、前身頃２００には、前身頃２００のｘ軸方向の中央部にむかって両側から第１ひだ２５１、第２ひだ２５２及び第３ひだ２５３が設けられている。
【００４２】
図６及び図７に示すように、第１上端部２１０は、ｘ軸正方向側に配置される上端側面部である第１左上端部２１１と、
第１左上端部２１１よりｘ軸負方向側に配置される上端側面部である第１右上端部２１２と、を含む。
【００４３】
第１左上端部２１１には、弾性部材である第１弾性部材２１３が取り付けられている。本実施形態では、弾性部材としてゴムベルトが使用されている。
【００４４】
第１弾性部材２１３のｘ軸正方向側の端部には接続部材である第１接続部材２１５が取り付けられている。本実施形態では接続部材として面ファスナーが使用されている。
【００４５】
第１右上端部２１２には、第１左上端部２１１と同様に、弾性部材である第２弾性部材２１４が取り付けられている。本実施形態では、弾性部材としてゴムベルトが使用されている。
【００４６】
第２弾性部材２１４のｘ軸負方向側の端部には接続部材である第２接続部材２１６が取り付けられている。本実施形態では接続部材として面ファスナーが使用されている。
【００４７】
第１弾性部材２１３及び第２弾性部材２１４は、後身頃３００の第２上端部３１０と接続される。具体的な内容は後述する。
【００４８】
なお、本実施形態では第１弾性部材２１３及び第２弾性部材２１４は、全体がゴムベルトであるが、部分的に弾性部材で構成されるものであってもよい。
【００４９】
第１下端部２２０は、ｘ軸方向両端で後身頃３００の第２下端部３２０と接続されている。
【００５０】
図３に示すように、前身頃２００には、ひだ２５０が設けられているため、第１下端部２２０は、第１上端部２１０よりｘ軸方向に広がる構成となっている。
【００５１】
第１側面部２３０は、第２側面部２４０よりｘ軸正方向側に配置され、笹ひだ部である第１笹ひだ２３１と、
笹ひだ部から第１下端部２２０までの相引部である第１相引２３２と、を含む。
【００５２】
第１笹ひだ２３１は、第１上端部２１０から第１相引２３２の上までに設けられた笹の葉形のひだである。
【００５３】
第１相引２３２は、笹ひだ部から第１下端部２２０までの部分であり、後身頃３００の相引部と接続されている。
【００５４】
同様に、第２側面部２４０は、第１側面部２３０よりｘ軸負方向側に配置され、笹ひだ部である第２笹ひだ２４１と、
笹ひだ部から第１下端部２２０までの相引部である第２相引２４２と、を含む。
【００５５】
第２笹ひだ２４１は、第１笹ひだ２３１と同様である。第２相引２４２も第１相引２３２と同様に笹ひだ部から第１下端部２２０までの部分であり、後身頃３００の相引部と接続されている。
【００５６】
図４に示すように、後身頃３００は、前身頃２００と同様に、ｙ軸正方向側に配置される第２上端部３１０と、
ｙ軸負方向側に配置される第２下端部３２０と、
ｘ軸方向側に配置される第３側面部３３０及び第４側面部３４０と、を含む。
【００５７】
後身頃３００には、前身頃２００と同様に、ひだ３５０が設けられている。本実施形態では、後身頃３００には、後身頃３００のｘ軸方向の中央部にむかって両側から第４ひだ３５１及び第５ひだ３５２が設けられている。
【００５８】
本実施形態では、後身頃３００に設けられるひだは、前身頃２００に設けられるひだの数より少なくなっている。
【００５９】
図５は、前身頃２００の上部をｚ軸正方向側に向かって折り返した状態の図である。図５に示すように、第２上端部３１０は、ｘ軸正方向側に配置される上端側面部である第２左上端部３１１と、
第２左上端部３１１よりｘ軸負方向側に配置される上端側面部である第２右上端部３１２と、を含む。
【００６０】
第２左上端部３１１には、左取付部材である第１取付部材３１３と第２取付部材３１４とが取り付けられている。
【００６１】
第１取付部材３１３は、第２取付部材３１４よりｘ軸正方向側に配置されている。本実施形態では、第１取付部材３１３及び第２取付部材３１４は、リング状の部材であり、第１弾性部材２１３を通すことができる。
【００６２】
第２右上端部３１２には、右取付部材である第３取付部材３１５と第４取付部材３１６とが取り付けられている。
【００６３】
第３取付部材３１５は、第４取付部材３１６よりｘ軸負方向側に配置されている。本実施形態では、第３取付部材３１５及び第４取付部材３１６は、リング状の部材であり、リングベルトとして機能し、第２弾性部材２１４を通すことができる。
【００６４】
第１弾性部材２１３の具体的な取付方法は、第１弾性部材２１３をｘ軸負方向側から第２取付部材３１４の貫通孔に通し、さらにｘ軸負方向側から第１取付部材３１３の貫通孔に通す。
【００６５】
次に、図６に示す矢印Ａのように、第１弾性部材２１３を第１取付部材３１３の上方（ｚ軸正方向側）に折り返し、ｘ軸正方向側から第２取付部材３１４の貫通孔を通す。これにより第１弾性部材２１３は、第１取付部材３１３及び第２取付部材３１４に取り付けられる。
【００６６】
同様に、第２弾性部材２１４の具体的な取付方法は、第２弾性部材２１４をｘ軸正方向側から第４取付部材３１６の貫通孔に通し、さらにｘ軸正方向側から第３取付部材３１５の貫通孔に通す。
【００６７】
次に、第２弾性部材２１４を第３取付部材３１５の上方（ｚ軸正方向側）に折り返し、ｘ軸負方向側から第４取付部材３１６の貫通孔を通す。これにより第２弾性部材２１４は、第３取付部材３１５及び第４取付部材３１６に取り付けられる。
【００６８】
第２下端部３２０は、ｘ軸方向両端で前身頃２００の第１下端部２２０と接続されている。
【００６９】
後身頃３００には、ひだ２５０が設けられているため、第２下端部３２０は、第２上端部３１０よりｘ軸方向に広がる構成となっている。
【００７０】
第３側面部３３０は、第４側面部３４０よりｘ軸正方向側に配置され、笹ひだ部である第３笹ひだ３３１と、
笹ひだ部から第２下端部３２０までの相引部である第３相引３３２と、を含む。
【００７１】
第３笹ひだ３３１は、第２上端部３１０から第３相引３３２の上までに設けられた笹の葉形のひだである。
【００７２】
第３相引３３２は、笹ひだ部から第２下端部３２０までの部分であり、前0身頃２００の相引部と接続されている。
【００７３】
同様に、第４側面部３４０は、第３側面部３３０よりｘ軸負方向側に配置され、笹ひだ部である第４笹ひだ３４１と、
笹ひだ部から第２下端部３２０までの相引部である第４相引３４２と、を含む。
【００７４】
第４笹ひだ３４１は、第３笹ひだ３３１と同様である。第４相引３４２も第３相引３３２と同様に笹ひだ部から第２下端部３２０までの部分であり、前身頃２００の相引部と接続されている。
【００７５】
具体的には、第１相引２３２と第３相引３３２とが接続され、第２相引２４２と第４相引３４２とが接続される。
【００７６】
図３及び図８に示すように、紐部材４００は、ｘ軸方向の両端の第１紐端部４１０及び第２紐端部４２０と、
本実施形態では蝶々結びであるリボン部４３０と、を含む。
【００７７】
第１紐端部４１０は、第２紐端部４２０よりｘ軸正方向側に配置されており、接続部材である第３接続部材４１１が取り付けられている。
【００７８】
本実施形態では第３接続部材４１１は面ファスナーであり、第３接続部材４１１は、第１接続部材２１５と接続される。
【００７９】
同様に、第２紐端部４２０は、第１紐端部４１０よりｘ軸負方向側に配置されており、接続部材である第４接続部材４２１が取り付けられている。
【００８０】
本実施形態では第４接続部材４２１は面ファスナーであり、第４接続部材４２１は、第２接続部材２１６と接続される。
【００８１】
第３接続部材４１１は、第１接続部材２１５よりｘ軸方向の幅が広くなっている。同様に第４接続部材４２１は、第２接続部材２１６よりｘ軸方向の幅が広くなっている。
【００８２】
これにより、多少第１接続部材２１５と第３接続部材４１１の合わせ位置がずれた場合であっても、第１接続部材２１５と第３接続部材４１１とを接続することができる。
【００８３】
同様に、第２接続部材２１６と第４接続部材４２１の合わせ位置がずれた場合であっても、第２接続部材２１６と第４接続部材４２１とを接続することができる。
【００８４】
なお、本実施形態では接続部材は面ファスナーであるが、スナップボタンや普通のボタン等であってもよい。
【００８５】
リボン部４３０は、紐部材４００を蝶々結び等の所定の結び方をした部分である。本実施形態では、リボン部４３０は、紐部材４００のｘ軸方向略中央部より若干ｘ軸正方向よりに配置されているが、ｘ軸方向略中央部に設けられていてもよい。
【００８６】
また、本実施形態では、リボン部４３０は、蝶々結びであるが、違う結び方であってもよい。
【００８７】
また、紐部材４００を第１弾性部材２１３及び第２弾性部材２１４に取り付けることにより、第１弾性部材２３１及び第２弾性部材２１４の先端が、第三者から見え難くなるため、見栄えが良くなる。
【００８８】
後身頃３００のｚ軸正方向側には、ヘラ部材５００が取り付けられている。具体的には、後身頃３００の第２上端部３１０の下側（ｙ軸負方向側）であって、ｘ軸方向略中央部にヘラ部材５００が取り付けられている。
【００８９】
ヘラ部材５００は、着用者が袴１００を着用している際に、帯６００に被せてある後身頃３００が外れ難いようにするものである。
【００９０】
つまり、後身頃３００を帯６００に被せるようにして乗せる際に、帯６００と着物の間にヘラ部材５００を挿入することにより、後身頃３００が帯６００から外れ難いようにする。
【００９１】
（袴１００の着付方法）
図９に示すフローチャートを用いて袴１００の着付け方法を説明する。
【００９２】
まず、着用者は、袴１００の後身頃３００の第２上端部３１０を帯６００の結び目上方に乗せるように配置する（ステップＳ１１）。
【００９３】
この際、ヘラ部材５００を着物と帯６００との間に上側から差し込む（ステップＳ１２）。
【００９４】
次に、着用者は、前身頃２００の第１弾性部材２１３を後身頃３００の第２取付部材３１４及び第１取付部材３１３の貫通孔にｘ軸負方向側から挿入し、ｚ軸正方向側に折り返して再度第２取付部材３１４の貫通孔にｘ軸正方向側から挿入する（ステップＳ１３）。
【００９５】
第２取付部材３１４の貫通孔にｘ軸正方向側から挿入された第１弾性部材２１３のｚ軸正方向側には、第１接続部材２１５である面ファスナーが露出している。
【００９６】
同様に、着用者は、前身頃２００の第２弾性部材２１４を後身頃３００の第４取付部材３１６及び第３取付部材３１５の貫通孔にｘ軸正方向側から挿入し、ｚ軸正方向側に折り返して再度第４取付部材３１６の貫通孔にｘ軸負方向側から挿入する（ステップＳ１４）。
【００９７】
第４取付部材３１６の貫通孔にｘ軸負方向側から挿入された第２弾性部材２１４のｚ軸正方向側には、第２接続部材２１６である面ファスナーが露出している。ステップＳ１３とステップＳ１４はどちらを先に行っても良い。
【００９８】
第１取付部材３１３、第２取付部材３１４、第３取付部材３１５及び第４取付部材３１６は、第三者から見て目立たないように、着用者の脇の下の部分に配置されるようになっている。
【００９９】
第１弾性部材２１３及び第２弾性部材２１４の伸縮機能により、後身頃３００が帯６００の上方の位置からずれ難くなっている。
【０１００】
次に、着用者は、蝶々結びが最初から施されている紐部材４００の第３接続部材４１１及び第４接続部材４２１を、第１接続部材２１５及び第２接続部材２１６に接続する（ステップＳ１５）。
【０１０１】
具体的には、紐部材４００の第３接続部材４１１を第１接続部材２１５に接続し、第４接続部材４２１を第２接続部材２１６に接続する。
【０１０２】
第３接続部材４１１及び第４接続部材４２１は、第三者から見て目立たないように、着用者の腰の横部分に配置されるようになっている。
【０１０３】
着用者は、帯６００の上端から１ｃｍ〜３ｃｍくらい下側に、紐部材４００（袴１００の前身頃２００の第１上端部２１０）が配置されるように位置決めをする（ステップＳ１６）。
【０１０４】
第１弾性部材２１３及び第２弾性部材２１４の伸縮機能により、着用者は容易に紐部材４００のｙ軸方向の位置を調節することができ、また、同機能により、位置決めをした紐部材４００の位置からずれ難いという効果を有する。
【０１０５】
本発明は、その趣旨を逸脱しない範囲で種々の改良、修正、又は変形を加えた態様でも実施できる。
【０１０６】
袴は、本実施形態の袴１００の種類に限定されず、女袴以外にも行灯袴、馬乗袴、武道袴、武者袴、野袴等どのような袴であってもよい。
【符号の説明】
【０１０７】
１００…袴
２００…前身頃
２１３…第１弾性部材（弾性部材）
２１４…第２弾性部材（弾性部材）
２１５…第１接続部材（接続部材）
２１６…第２接続部材（接続部材）
３００…後身頃
３１３…第１取付部材（左取付部材）
３１４…第２取付部材（左取付部材）
３１５…第３取付部材（右取付部材）
３１６…第４取付部材（右取付部材）
４００…紐部材
４１１…第３接続部材（接続部材）
４２１…第４接続部材（接続部材）
４３０…リボン部
５００…ヘラ部材
６００…帯
【図１】
2018168523.tif 000003
【図２】
2018168523.tif 000004
【図３】
2018168523.tif 000005
【図４】
2018168523.tif 000006
【図５】
2018168523.tif 000007
【図６】
2018168523.tif 000008
【図７】
2018168523.tif 000009
【図８】
2018168523.tif 000010
【図９】
2018168523.tif 000011